(57)【要約】      （修正有）【課題】身体への負担が少なく手軽に芝生を傷つけることなく除草及び枯葉・ゴミ等を除去できる雑草引き抜き具を提供する。【解決手段】立ち姿勢の自然な身体のままで作業が出来、身体への負担を軽減出来るよう使用者の身長に合わせシャフトの長さを変更できるようにし、グリップはピストル型とし作業する腕・手首や指の動作も自然な状態を可能とするような形状及び角度とし、その作業の動作も道具の先端（挟持プレート）を雑草の根元へ差し込み操作レバーを握り開放するという単純且つ自然な動作にて雑草の引き抜きと付着した雑草や土の排除を完了するものであり、除草以外の作業にも応用可能な簡素且つ軽量な仕組みを持つ。また、手・指が疲労したり両手作業が可能な場所の場合シャフトに密着している作業補助ハンドルを開き両手作業もできることを特徴とする雑草引き抜き具である。【選択図】図１
2009089704.tif 000002
【特許請求の範囲】
【請求項１】
使用者が、立った姿勢のままで作業できる雑草引き抜き具である。シャフトの上端にグリップと操作レバーを設けシャフト下端には雑草を挟み引き抜く二枚の挟持プレートを設け、その内一枚はシャフトに固着されておりもう一枚はシャフトの中を通る牽引バーにより操作レバーと連結されており操作レバーの開閉により挟持プレートを開閉し雑草を挟み引き抜くことができ、またシャフトに固着された挟持プレートを雑草の根元に差込み掘り起こしながら引き抜くことも出来る雑草引き抜き具である。
【請求項２】
挟持プレート内側には、挟持プレートと同じ幅をもつＶ字状板バネの雑草排除プレートを設け挟持プレートと共に牽引バーに連結し、挟持プレートと雑草排除プレートは連動して作動し雑草を引き抜いた後、挟持プレートに付着した雑草や土を能動的にワンタッチに排除することが出来ることを特徴とする
【請求項３】
シャフトと牽引バーは、ワンタッチで伸縮できる仕組みを持ち使用者の身長に合わせ或いは遠くの雑草を引き抜く等作業の内容により伸縮して使用できることを特徴とする。
【請求項４】
グリップ及び操作レバーの取り付け角度は連続作業時手首・指への負担が掛からないよう自然に手を下げた時の手首の角度に近いものとし、レバー開放時レバーを握る指の圧力が弱まった時グリップが不安定にならないように手指の形状に合わせた凹凸を設ける。また両手による作業にも対応できるよう手元シャフト側面に作業補助ハンドルをシャフト側面に蝶番で取り付け片手作業時は永久磁石によりシャフトと平行に密着し開いて使用する場合は両手が腰の側面にて自然に伸ばされた状態で作業できるようハンドルの取り付け角度を設定する。以上を特徴とする雑草引き抜き具である。
【発明の詳細な説明】
【技術分野】
【０００１】この発明は、立ち姿勢のまま片手でシャフト上端のグリップを持ちシャフト先端の固定挟持プレートを雑草の根元に差し込み掘り起こしつつ操作レバーを握り、可動挟持プレートを閉じることにより雑草を根ごと挟みとり、操作レバーを開放することにより挟持プレート及び雑草排除プレートを作動し挟持した雑草を排除することの出来る雑草引き抜き具であり、必要に応じシャフト側面に設けられた両手作業のための作業補助ハンドルを開き活用することによりにより作業の疲労軽減あるいはスピードアップを図る。また、シャフトは無段階に伸縮可能であり使用者の身長に合せ或いは作業の必要に応じ伸縮して使用できる雑草引き抜き具に関するものである。
【背景技術】
【０００２】従来、この種の除草用具としては、立ち姿勢のままシャフトを地面に押し付けあるいは先端のパーツを雑草の根元に差し込むことにより下端のパーツを作動し雑草を挟み取る道具あるいは、手元の操作レバーを操作することにより下端のパーツを作動し雑草を挟み取る道具は知られている。また、抜き取った雑草や土を排除する仕組みを備える道具は知られている。
【発明が解決しようとする課題】
【０００３】しかし、抜き取った雑草や土を排除する機能については雑草を引き抜く動作とは別のその為の動作が必要であったり、濡れた土が付着した場合排除が不完全であったり難点がある。また従来の道具は道具の長さが一定であり使用者の身長の違いや色々な作業の状況に対応できていない。またグリップの形状や角度等が自然な手首・指の動きに近いとは言えず、非力な女性等の長時間の使用には負担が大きかった。
【課題を解決するための手段】
【０００４】以上の課題を解決するために、［図２］・［図３］に示すように雑草を挟み取る挟持プレートと雑草を排除する雑草排除プレートは共に牽引バーに連結しており一回の操作レバー開閉により雑草の引き抜きと排除が完了し、濡れて粘着性の強い土であっても確実に排除できる。シャフトと牽引バーは［図５］〜［図７］に示すように、中央で手元と先端に別れており片手でシャフト固定部の突起と牽引バー固定部の突起を指で挟みシャフト内部に押し込みシャフトと牽引バーの固定を解除しつつ伸縮できる。また、グリップは［図８］に示すようにピストル型の挟持プレートの先端は１．５ｃｍ×１ｃｍ程度の密着する面積を設けるよう二枚の挟持プレートをなだらかに湾曲させるが、二枚の挟持プレート湾曲の度合いは雑草の根元へ差し込み易くするよう固定された挟持プレートの方を多くする。挟持プレートの密着する部分には挟んだ雑草が滑らないように横方向の細かい溝を刻む。雑草引抜部挟持プレートの内側には挟持プレートと同し幅を持つＶ字状の板バネのプレートをその先端を二枚の挟持プレートの内側に密着した状態で二枚の挟持プレートの先端・奥と移動可能に設ける。これは、牽引バーの作動により挟持プレートが閉じ雑草を挟持した時は挟持プレートの奥に移動し雑草挟持の妨げとならず挟持プレートが開放し挟持した雑草を排除する時は挟持プレート先端側に移動し付着した雑草や土を排除することができる。［図２］は先端部分の斜視図であり［図３］は挟持プレートが開放された状態且つ雑草排除プレートが挟持プレート先端へ移動し雑草を排除した状態であり［図４］は挟持プレートが閉じられ雑草を挟み雑草排除プレートがプレート奥へと移動した状態である。シャフトは、手元シャフトと先端シャフトに分れ先端シャフトが手元シャフトに入り込むことによりに伸縮する。先端シャフト上側には３センチ程の間隔で丸穴を開けてあり、手元シャフト上側には支軸によりシーソーのように作動するシャフト固定部位（符号１０）を設けその一端に設けられた円筒状の突起が手元シャフトの丸穴を貫通し先端シャフトの丸穴に貫通することにより手元シャフトと先端シャフトが固定される。円筒状の突起と反対側のもう一端を押すことにより円筒状の突起が先端シャフトの丸穴から外れシャフトの固定も解除される。シャフト固定部位はバネ（符号１１）によりシャフトが固定される状態を保つ。牽引バーは、手元牽引バーと先端牽引バーに分れ先端牽引バーが手元牽引バーに入り込むことにより伸縮する。先端牽引バーの下側には先端シャフトの丸穴に対応する間隔で切り込みを設ける。手元牽引バーには支軸によりシーソーのように作動する牽引バー固定部位（符号１２）を設けその一端は先端牽引バーの切り込みにはまりこみ手元牽引バーと先端牽引バーが固定される。もう一端には手元シャフトの下側に開けられた丸穴を貫通する円筒状の突起を設けその突起を手元シャフトの外部から押すことにより牽引バー固定部位が先端牽引バーの切り込みから外れ牽引バーの固定は解除される。牽引バー固定部位はバネ（符号１３）により牽引バーが固定される状態を保つ。円筒状の突起が手元シャフト下側を貫通するよう取り付けられているため先端シャフトが手元シャフトに入り込め���よう先端シャフト下側にはシャフト縦方向と平行にスリットを設けるグリップ及び操作レバーの取り付け角度は連続作業時手首・指への負担が掛からないよう自然に手を下げた時の手首の角度としレバー開放時親指以外の指の道具を支える力が少なくなった時グリップが不安定にならないように手指の形状に合わせた凹凸を設ける。また両手による作業にも対応できるよう手元シャフト側面に作業補助ハンドル（符号１５）をシャフトと斜めになる蝶番（符号１６）により取り付け片手作業時は永久磁石（符号１８）によりシャフトと平行に密着となっておりその角度は腕を自然に下げた時の手首の角度とし握る手にフィットするように凹凸を設ける。本発明は、以上の構成より成る雑草引き抜き具である。
【発明の効果】
【０００５】腰とか膝に痛みを持った主婦等が庭の除草に難儀をしているということを良く耳にする。発明者の妻も膝に痛みをもち庭の除草に難儀をして居り、身体への負担がより少なく手軽に除草できる道具をという目的でこの道具は作られたものである。従って、この発明は、あまり大規模でない例えば、家庭の花壇・菜園・芝生・植栽の中の雑草や枯葉・ゴミ等の除去を念頭に考案したものであり、作業姿勢が立ち姿勢であり且つ腕・手首の動きも自然であり腰への負担を少なくするよう、使用者の身長に合わせ道具のシャフトを伸縮可能とし、グリップはその取り付け角度及び形状を立ち姿勢で自然に腕を下ろしたときの角度とし親指と手のひらの形状にあわせ凹凸を設けることによりグリップを安定させる。操作レバーを開放した時親指を除く指の道具を支える力が少なくなるため親指への負担が多くなり長時間作業をしていると疲労してくる。そのようなときで、両手作業が可能な場合は作業補助ハンドルを開き両手による作業も可能とし非力な女性でも容易に操作できる。また、シャフトの伸縮は、踏み込み難い遠くの除草等の作業をするときは伸ばし、作業の能率を上げたい時はシャフトを短くするなど作業内容に対応でき非常に有効である。また、雑草を抜き取った時雑草土の状態によっては挟持プレートに付着しそれを除去するのは厄介である。その対策として雑草排除プレートを設けたがこれはその為の特別な動作を必要とせす雑草を引き抜くための操作レバーの開閉によって完了するため作業効率が良い。挟持プレート二枚のうち一枚はシャフトに固着されてもう一枚は開閉可能に取り付けられており雑草を掘り起こしつつ挟みとることもでき、除草だけでなく花壇等の枯葉・ゴミの除去することもできる。グリップ及び操作レバーの形状及びその作動と連動した挟持プレート作動は手の動きに近くプレートの形状からも繊細な作業を可能とする。従って芝生を傷つけることなく除草することもできる。
【発明を実施するための最良の形態】
【０００６】発明を実施するための最良の形態について説明する。［図１］はこの道具の全体図である。シャフトの上端にグリップ・操作レバーを持つ手元シャフト・グリップ部を設け操作レバーを支軸により開閉可能に取り付けバネにより開いた状態を保つ。操作レバーには牽引バーが連結されシャフトのなかを通りシャフト下端に至る［図８］。シャフト下端には雑草を挟み取る二枚の挟持プレート（幅約１．５ｃｍ程度）を相対して取り付けその内一枚はシャフトに固定されもう一枚は支軸により開閉可能に取り付けられ、操作レバーの作動が牽引バーにより伝わり開閉する。斜め上部から雑草を引き抜くような場合挟持を確実にするために、二枚し開いて使用する場合は両手が腰の側面にて自然に伸ばされた状態で作業できるようハンドルの取り付け角度を設定する。［図１０］本発明は以上のような構造である。
【図１】
2009089704.tif 000003
【図２】
2009089704.tif 000004
【図３】
2009089704.tif 000005
【図４】
2009089704.tif 000006
【図５】
2009089704.tif 000007
【図６】
2009089704.tif 000008
【図７】
2009089704.tif 000009
【図８】
2009089704.tif 000010
【図９】
2009089704.tif 000011
【図１０】
2009089704.tif 000012
【手続補正書】
【提出日】平成19年12月16日(2007.12.16)
【手続補正２】
【補正対象書類名】明細書
【補正対象項目名】全文
【補正方法】変更
【補正の内容】
【発明の詳細な説明】
【技術分野】
【０００１】この発明は、立ち姿勢のまま片手で操作可能な雑草引き抜き具である。上端にはグリップを設けグリップにはＶ字状に操作レバーを取り付け、下端には雑草引抜部を設ける。それらは、中央で伸縮するシャフトにて連結する。雑草引抜部には二枚の挟持プレートを相対して設けその内１枚は雑草引き抜き部に固定され、もう一枚は開閉可能に取り付けられている。また二枚の挟持プレートの内側には引き抜いた雑草を排除するための排除プレートが設けられている。これらのプレートは操作レバーとシャフトの中を通る牽引バーにより連結されて居り操作レバーの開閉により同時に作動する。その操作はグリップを持ち固定プレートを雑草の根元に差し込み操作レバーを閉じそれに連結したプレートを閉じることにより雑草を挟みとり、操作レバーを開放することにより挟持プレート及び排除プレートが作動し雑草を排除することの出来る雑草引き抜き具である。またシャフト側面には両手作業のための作業補助ハンドルが設けてあり、必要に応じ開き活用することにより作業の疲労軽減あるいはスピードアップを図る。また、シャフトは無段階に伸縮可能であるため使用者の身長或いは作業の必要に応じて伸縮して使用できる。以上のような雑草引き抜き具に関するものである。
【背景技術】
【０００２】従来、この種の除草用具としては、立ち姿勢のままシャフトを地面に押し付けあるいは先端のパーツを雑草の根元に差し込むことにより下端のパーツを作動し雑草を挟み取る道具あるいは、手元の操作レバーを操作することにより下端のパーツを作動し雑草を挟み取る道具は知られている。また、抜き取った雑草や土を排除する仕組みを備える道具は知られている。
【発明が解決しようとする課題】
【０００３】しかし、抜き取った雑草や土を排除する機能については雑草を引き抜く動作とは別の動作が必要であったり、粘着性の強い土が付着した場合排除が不完全であったり難点がある。また従来は道具の長さが一定であり使用者の身長の違いや色々な作業の状況に対応できていない。またグリップの形状や角度は、それを利用する手や指の動きが自然な動きに近いとは言えず、負担が大きいものであった。
【課題を解決するための手段】
【０００４】以上の課題を解決するために、［図３］・［図４］に示すように雑草を挟み取る挟持プレートと雑草を排除する排除プレートは共に牽引バーに連結しており１回の操作レバー開閉により雑草の引き抜きと排除が完了し、粘着性の強い土であっても排除できる。シャフトと牽引バーは［図１］・［図５］〜［図７］に示すように中央で手元と先端に別れており片手でシャフト固定部位（符号１０）〔以下単に（＊＊）のように表す〕の突起と牽引バー固定部の突起を指で挟み押し込むことにより、シャフトと牽引バーの固定を解除し伸縮できる。また、グリップは［図８］に示すようにピストル型となっておりその角度は腕を自然に下げた時の手首の角度とし握る手にフィットするように凹凸を設け作業者の負担を減らす。
【発明の効果】
【０００５】腰とか膝に痛みを持った主婦等が庭の除草に難儀をしているということを良く聞く。発明者の妻も同様であり、身体への負担がより少なく手軽に除草できることを目的としてこの道具は作られた。従ってこの発明は、あまり大規模でない家庭の花壇・菜園・芝生・植栽等の雑草や枯葉・ゴミ等の除去を念頭に考案したものである。作業姿勢は立ち姿勢であり且つ腕・手首の動きも自然であり腰や膝への負担を少なくするよう工夫した。シャフトは使用者の身長に合わせ伸縮可能とし、グリップはその取り付け角度及び形状を立ち姿勢で自然に腕を下ろしたときの角度とし親指と手のひらの形状にあわせ凹凸を設けることによりグリップを安定させる。しかし、長時間作業をしていると疲労してくる。そのようなときは、作業補助ハンドルを開き両手による作業も可能とし非力な女性でも長時間操作できるようにした。また、シャフトの伸縮は、踏み込み難い花壇の奥等の作業をするときは伸ばし、作業の能率を上げたい時はシャフトを短くする等作業内容にも対応でき非常に有効でとなる。また、雑草を抜き取った時雑草や土の性質によっては挟持プレートに付着しそれを除去するのは厄介である。その対策として排除プレートを設けたが、雑草の引き抜きと排除は一度の操作レバーの開閉により同時に完了する。挟持プレート二枚のうち一枚はシャフトに固着されているためそのプレートを雑草の根元に差し込み雑草を掘り起こしつつ挟みとることもできる。また、除草だけでなく枯葉・ゴミ等の除去をすることもできる。グリップ及び操作レバーの形状及び動き、それと連動した挟持プレートの動きは手の動きに馴染み汲い易く、細かな作業をも可能とする。従って芝生の除草も傷つけることなく行うことができる。
【発明を実施するための最良の形態】
【０００６】発明を実施するための最良の形態について説明する。［図１］はこの道具の全体図である。［図８］は道具の上端の図であり、手元シャフト・グリップ部（２）を設け、操作レバー（３）を支軸により開閉可能に取り付けバネにより開いた状態を保つ。操作レバーには手元牽引バー（８）が連結されシャフト中央で先端牽引バー（７）と連結し、下端の［図３］［図４］に示す雑草引き抜き部に至り挟持プレート及び排除プレートと連結する。雑草引き抜き部には雑草を挟み取る二枚の挟持プレート（幅≒１．５ｃｍ長さ≒６ｃｍ程度）を相対して取り付けその内一枚はシャフトに固定されもう一枚は支軸により開閉可能に取り付け、操作レバーの作動が牽引バーにより伝わり開閉する。雑草を引き抜くときの挟持を確実にするために、二枚の挟持プレートの先端は１．５ｃｍ×１ｃｍ程度の密着する面積ができるように、二枚の挟持プレートをなだらかに湾曲させる。二枚の挟持プレート湾曲の度合いは雑草の根元へ差し込み易くするため固定挟持プレートの方を多くする。挟持プレートの密着する部分には挟んだ雑草が滑らないように横方向の細かい溝を刻む。挟持プレートの内側には［図２］〜［図４］のように挟持プレートと同じ幅を持つＶ字状の板バネの排除プレートをその先端が二枚の挟持プレートのそれぞれ内側に接触する状態で取り付け、挟持プレートの先端・奥と移動可能とする。挟持プレートが閉じ雑草を挟持した時は挟持プレートの奥に移動し雑草挟持の妨げとならず［図４］、挟持プレートが開放され挟持した雑草を排除する時は挟持プレート先端側に移動し付着した雑草や土を排除する［図３］。シャフトは、手元シャフトと先端シャフトに分れ先端シャフトが手元シャフトに入り込むことによりに伸縮する［図５］。手元・先端シャフト上側には３センチ程の間隔で丸穴を開ける。手元シャフト上側には支軸によりシーソーのように作動するシャフト固定部位（１０）を設けその両端に円筒状の突起を設ける。先端側突起が手元シャフトの丸穴を貫通し先端シャフトの丸穴に貫通することにより手元・先端両シャフトが固定され、手元側の突起を押すことにより先端側の突起が先端シャフトの丸穴から外れシャフトの固定も解除される［図６］。シャフト固定部位はバネ（１１）によりシャフトが固定される状態を保つ。牽引バーは、手元牽引バー（８）と先端牽引バー（７）に分れ先端牽引バーが手元牽引バーに入り込むことにより伸縮する［図７］。先端牽引バーの下側には先端シャフトの丸穴に対応する間隔で切り込みを設ける（７）。手元牽引バーには支軸によりシーソーのように作動する牽引バー固定部位（１２）を設けその先端側の一端は先端牽引バーの切り込みにハマリ手元牽引バーと先端牽引バーが固定される［図７］。（１２）の手元側一端には手元シャフトの下側に開けられた丸穴を貫通する円筒状の突起を設ける。その突起を手元シャフトの外部から押すことにより牽引バー固定部位が先端牽引バーの切り込みから外れ牽引バーの固定は解除される。牽引バー固定部位はバネ（１３）により牽引バーが固定される状態を保つ。円筒状の突起が手元シャフト下側を貫通するため先端シャフトが手元シャフトに入り込む妨げとならぬよう先端シャフト下側にはシャフト縦���向と平行にスリットを設ける［図５］。グリップ及び操作レバーの取り付け角度は連続作業時手首・指への負担が掛からないよう自然に手を下げた時の手首の角度とする。しかし、レバー開放時は道具を支える指の圧力が少なくなるためグリップが不安定にならないように手指の形状に合わせた凹凸を設ける。必要に応じ両手作業にも対応できるよう手元シャフト側面に作業補助ハンドル（１５）をシャフトと斜めになる蝶番（１６）により取り付け片手作業時は永久磁石（１８）によりシャフトと平行に密着し開いて使用する場合は両手が腰の側面にて自然に伸ばされた状態で作業できるようハンドルの取り付け角度を設定する［図１０］。本発明は以上のような構造である。
【図面の簡単な説明】
【０００７】
【図１】全体側面図
【図２】雑草引抜部の斜視図
【図３】『図１』の透視図且つグリップ及びプレート開放時の図である。
【図４】『図１』の透視図且つグリップ及びプレーが閉鎖時の図である。
【図５】シャフト中央伸縮部の斜視図である
【図６】『図５』の透視図である
【図７】伸縮牽引バー固定部の説明である
【図８】手元シャフト・グリップ部、操作レバー・作業補助ハンドルの斜視図である
【図９】『図８』の可動部の説明である
【図１０】作業補助ハンドルの説明である
【符号の説明】
【０００８】１．先端シャフト部                １０．シャフト固定部位
２．手元シャフト・グリップ部      １１．『１０』の作動バネ
３．操作レバー                    １２．牽引バー固定部位
４．可動挟持プレート              １３．『１２』の作動バネ
５．固定挟持プレート              １４．『３』の作動バネ
６．雑草排除プレート              １５．作業補助ハンドル
７．先端牽引バー                  １６．『１５』の支持蝶番
８．手元牽引バー                  １７．『１５』の固定ビス
９．雑草排除プレート支持バー      １８．『１５』脱着可能留め具（磁石）
（シャフト側及びハンドル側各１）
１９〜２７．